(57)【要約】      （修正有）【課題】レーザー駆動回路の温度が上昇するのを抑制し、光ディスクの記録品質、再生品質が低下するのを抑制し、光ディスク装置が大型化するのを抑制すること。【解決手段】レーザー駆動回路２０は、赤色レーザーダイオード用のＬＤドライバ２１と、抵抗２２とから構成されている。ＬＤドライバ２１には、ソース２５ａとドレイン２５ｂとの間の耐電圧が、赤色のレーザー光を出射する赤色レーザーダイオードの動作電圧以上であって青紫ＬＤ１１の動作電圧に満たないｐチャネル電界効果トランジスタ２５が設けられている。また、抵抗２２は、青紫ＬＤ１１のアノードと外部端子（＋Ｂ）との間で、ｐチャネル電界効果トランジスタ２５と並列に接続されている。そして、抵抗２２は、停止状態において青紫ＬＤ１１からレーザー光が出射されない範囲の電流を青紫ＬＤ１１に流す抵抗値（４００Ω）を有する。【選択図】図２
2008028256.tif 000002
【特許請求の範囲】
【請求項１】
光ディスクに対して青紫色のレーザー光を照射する青紫レーザーダイオードを駆動するレーザー駆動回路であって、
入力端子、出力端子、及び、前記入力端子と前記出力端子との間を流れる電流を制御する制御端子を有する半導体スイッチを含み、前記半導体スイッチの前記入力端子と前記出力端子との間の耐電圧が、赤色のレーザー光を出射する赤色レーザーダイオードの動作電圧以上であって前記青紫レーザーダイオードの動作電圧に満たず、前記入力端子及び前記出力端子の一方が前記青紫レーザーダイオードの一方の端子に接続され、前記入力端子及び前記出力端子の他方が電位の固定された外部端子に接続された赤色レーザードライバと、
前記青紫レーザーダイオードの前記一方の端子と前記外部端子との間で前記半導体スイッチと並列に接続されており、前記入力端子と前記出力端子との間に電流が流れていない状態において前記青紫レーザーダイオードからレーザー光が出射されない範囲の電流を前記青紫レーザーダイオードに流す抵抗値を有する抵抗とを備えたことを特徴とする、レーザー駆動回路。
【請求項２】
前記赤色レーザードライバは、
前記半導体スイッチの前記制御端子に接続され、前記光ディスクに記録された情報を読み出すためのレーザー光を生成するための読み出し電流を供給するための読み出し電流源と、
前記半導体スイッチの前記制御端子に接続され、前記光ディスクに任意の情報を書き込むためのレーザー光を生成するための書き込み電流を供給するための書き込み電流源とを含むことを特徴とする、請求項１に記載のレーザー駆動回路。
【請求項３】
前記半導体スイッチは、ｐチャネル電界効果トランジスタであり、
前記ｐチャネル電界効果トランジスタのソースは、電位が固定された前記外部端子に接続されるとともに、前記ｐチャネル電界効果トランジスタのドレインは、前記青紫レーザーダイオードのアノードに接続され、
前記青紫レーザーダイオードのカソードは、前記外部端子より電位が低い外部端子に接続されていることを特徴とする、請求項１または２に記載のレーザー駆動回路。
【請求項４】
前記半導体スイッチは、ｎチャネル電界効果トランジスタであり、
前記ｎチャネル電界効果トランジスタのソースは、電位が固定された前記外部端子に接続されるとともに、前記ｎチャネル電界効果トランジスタのドレインは、前記青紫レーザーダイオードのカソードに接続され、
前記青紫レーザーダイオードのアノードは、前記外部端子より電位が高い外部端子に接続されていることを特徴とする、請求項１または２に記載のレーザー駆動回路。
【請求項５】
請求項１〜４のいずれか１項に記載のレーザー駆動回路と、前記レーザー駆動回路に駆動されることにより光ディスクに対してレーザー光を出射する青紫レーザーダイオードとを含む光ピックアップユニット、
前記光ディスクを回転させるスピンドルモータ、および、
前記光ピックアップユニットを前記光ディスクの径方向に移動させるスレッドモータを備えたことを特徴とする、光ディスク装置。
【発明の詳細な説明】
【技術分野】
【０００１】
本発明は、レーザー駆動回路および光ディスク装置に関し、特に、赤色レーザーダイオードを駆動する赤色レーザードライバを用いて、青紫レーザーダイオードを駆動するレーザー駆動回路およびそのレーザー駆動回路を備えた光ディスク装置に関する。
【背景技術】
【０００２】
近年、ＤＶＤ（Digital Versatile Disk）やＣＤ（Compact Disc）などの光ディスクに情報の記録や再生を行う光ディスク装置のみならず、ＤＶＤやＣＤよりも大容量のＢＤ（Blu-Ray Disk）やＨＤ−ＤＶＤ（High Definition DVD）などに情報の記録や再生を行う光ディスク装置が普及している。ＤＶＤやＣＤなどを利用する光ディスク装置では、赤色レーザーダイオード（以下、赤色ＬＤと記載する）から出射されたレーザー光（発光波長：６５０ｎｍ〜７８０ｎｍ）により、情報の記録や再生を行っている。また、ＢＤやＨＤ−ＤＶＤなどを利用する光ディスク装置では、青紫レーザーダイオード（以下、青紫ＬＤと記載する）から出射されたレーザー光（発光波長：３００ｎｍ〜５００ｎｍ）により、情報の記録や再生を行っている。
【０００３】
上記した赤色ＬＤと青紫ＬＤとの電気的特性の差は、動作電圧（Ｖｏｐ）にある。具体的には、赤色ＬＤは、図５に示すように、約２．０Ｖの動作電圧（Ｖｏｐ）で発振するのに対して、青紫ＬＤは、図６に示すように、約５．０Ｖの動作電圧（Ｖｏｐ）で発振する。そして、赤色ＬＤを駆動する赤色ＬＤドライバには、図７に示すように、停止状態では約５．０Ｖの電圧（Ｖｓｔｏｐ）が加わり、読み出し状態では約２．９Ｖの電圧（Ｖｒ）が加わり、書き込み状態では約２．７Ｖの電圧（Ｖｗ）が加わる。したがって、赤色ＬＤの駆動を制御する赤色ＬＤドライバには、耐電圧が約５．０Ｖ程度のトランジスタが設けられるのが一般的である。
【０００４】
また、青紫ＬＤの駆動を制御する青紫ＬＤドライバには、図８に示すように、停止状態では約８．０Ｖの電圧が加わり、読み出し状態では約３．５Ｖの電圧が加わり、書き込み状態では約３．２Ｖの電圧が加わる。したがって、青紫ＬＤの駆動を制御する青紫ＬＤドライバには、耐電圧が約８．０Ｖ程度のトランジスタを設ける必要がある。すなわち、青紫ＬＤの駆動を制御するためには、一般的に普及した赤色ＬＤドライバをそのまま利用することができず、約８．０Ｖ程度の耐電圧を有するトランジスタを含む専用の青紫ＬＤドライバを用いる必要がある。
【０００５】
しかしながら、耐電圧が約８．０Ｖ程度のトランジスタを含む専用の青紫ＬＤドライバをレーザー駆動回路に用いた場合には、高価なハード構成となるという問題点があった。特に、記録機能を有さない再生専用の光ディスク再生装置では、経済性が悪化するという問題点があった。
【０００６】
そこで、安価な普及品の赤色ＬＤドライバを用いて、青紫ＬＤを駆動するために、赤色ＬＤドライバと青紫ＬＤとの間に緩衝回路を設ける技術が提案されている。以下、図９を参照して、従来の一例による緩衝回路２２１が設けられたレーザー駆動回路２２０について説明する。
【０００７】
このレーザー駆動回路２２０に設けられる緩衝回路２２１は、図９に示すように、抵抗２２１ａ〜２２１ｃと、トランジスタ２２１ｄとから構成されている。抵抗２２１ａおよび抵抗２２１ｂは、青紫ＬＤ２３０との反射を軽減するために設けられており、数Ω〜約１０Ωの値に設定されている。
【０００８】
赤色ＬＤドライバ２２２のｐチャネル電界効果トランジスタ２２２ａに電流が流れていない停止状態では、図６に示した青紫ＬＤ２３０の特性から順電流（Ｉｏｐ）が０となり、青紫ＬＤ２３０の動作電圧（Ｖｏｐ）も０となる。そして、Ｋ点、Ａ点およびＣ点は、−３Ｖの同電位であり、赤色ＬＤドライバ２２２のＯＵＴ端子２２２ｂおよびＥ点は、０Ｖである。次に、光ディスクから情報を読み取る状態では、赤色ＬＤドライバ２２２のＯＵＴ端子２２２ｂから抵抗２２１ａ、トランジスタ２２１ｄおよび抵抗２２１ｂを経由して、赤色ＬＤドライバ２２２に約５０ｍＡの電流が供給される。したがって、Ｅ点の電圧（Ｖｅ）は、４．５Ｖ（＝５Ｖ−（５０ｍＡ×１０Ω））、Ａ点の電圧（Ｖａ）は、１．５Ｖ（＝−３Ｖ＋Ｖｏｐ（４．５Ｖ））、Ｃ点の電圧（Ｖｃ）は、２．０Ｖ（＝Ｖａ（１．５Ｖ）＋（５０ｍＡ×１０Ω））、トランジスタ２２１ｄの電圧（Ｃ点とＥ点との間の電圧：Ｖｃｅ）は、２．５Ｖ（＝Ｖｅ−Ｖｃ＝４．５Ｖ−２．０Ｖ）となる。そして、トランジスタ２２１ｄで消費する電力（Ｐｄ）は、１２５ｍＷ（＝２．５Ｖ×５０ｍＡ）となる。また、光ディスクに情報を記録する状態では、赤色ＬＤドライバ２２２のＯＵＴ端子２２２ｂから抵抗２２１ａ、トランジスタ２２１ｄおよび抵抗２２１ｂを経由して、赤色ＬＤドライバ２２２に約７０ｍＡの電流が供給される。したがって、Ｅ点の電圧（Ｖｅ）は、４．３Ｖ＝（５Ｖ−（７０ｍＡ×１０Ω））、Ａ点の電圧（Ｖａ）は、１．８Ｖ（＝−３Ｖ＋Ｖｏｐ（４．８Ｖ））、Ｃ点の電圧（Ｖｃ）は、２．５Ｖ（＝Ｖａ（１．８Ｖ）＋（７５０ｍＡ×１０Ω））、トランジスタ２２１ｄの電圧（Ｃ点とＥ点との間の電圧：Ｖｃｅ）は、１．８Ｖ（＝Ｖｅ−Ｖｃ＝４．３Ｖ−２．５Ｖ）となる。そして、トランジスタ２２１ｄで消費する電力（Ｐｄ）は、１２６ｍＷ（＝１．８Ｖ×７０ｍＡ）となる。これらの結果は、図１０に示すようになる。このようにして、汎用の赤色ＬＤドライバ２２２を用いて、赤色ＬＤの動作電圧より高い動作電圧（Ｖｏｐ）を有する青紫ＬＤ２３０を駆動している。
【０００９】
また、目標動作電圧の異なる２つの半導体レーザー素子（赤色ＬＤおよび青紫ＬＤ）を切り替えて駆動するレーザー駆動回路も提案されている（例えば、特許文献１参照）。
【００１０】
【特許文献１】特開２００３−７８２０２号公報
【発明の開示】
【発明が解決しようとする課題】
【００１１】
しかしながら、図９に示した従来のレーザー駆動回路２２０では、赤色ＬＤドライバ２２２と青紫ＬＤ２３０との間に緩衝回路２２１を設けるのに起因して、図１０に示したように、緩衝回路２２１のトランジスタ２２１ｄにおいて電力が消費されるという問題点がある。このため、緩衝回路２２１が、温度上昇の熱源要因となるという問題点もある。
【００１２】
また、ＢＤやＨＤ−ＤＶＤは、ＣＤやＤＶＤに比べて、約５倍の記録密度を有しているため、ＢＤ等に記録された情報を読み出す場合は、ＣＤ等に記録された情報を読み出す場合に比べて、高い周波数の読み出し電流が青紫ＬＤ２３０に要求される。また、同様に、ＢＤ等に情報を書き込む場合は、ＣＤ等に情報を書き込む場合に比べて、周期が短く、立ち上がり時間／立下り時間が短い書き込み電流が青紫ＬＤ２３０に要求される。例えば、１倍速の再生時では、図１１に示すように、４００ＭＨｚ以上の高周波の読み出し電流を青紫ＬＤ２３０に流すことにより、青紫ＬＤ２３０を発振させる必要があり、１倍速の記録時では、立ち上がり時間／立ち下がり時間が１ｎｓ以下で、周期が３１ｎｓ以下の書き込み電流パルスを流すことにより、青紫ＬＤ２３０を発振させる必要がある。また、高倍速の記録再生時では、レーザー駆動回路２２０として、さらに広帯域特性が要求される。しかしながら、図９に示した従来のレーザー駆動回路２２０では、緩衝回路２２１を設けるのに起因して、応答特性が劣化するので、光ディスクへの記録品質や再生品質が低下するという問題点がある。
【００１３】
また、上記したような緩衝回路２２１が設けられたレーザー駆動回路２２０を、光ピックアップに組み込んで光ディスク装置を構成した場合に、緩衝回路２２１を組み込んだ分だけ、光ピックアップや光ディスク装置の小型化を図ることが困難になるという問題点もある。
【００１４】
本発明は、上記のような課題を解決するためになされたものであり、この発明の１つの目的は、レーザー駆動回路における消費電力が増大するのを抑制して、レーザー駆動回路の温度が上昇するのを抑制することである。また、この発明のもう１つの目的は、光ディスクの記録品質、再生品質が低下するのを抑制することである。さらに、この発明のもう１つの目的は、レーザー駆動回路が大型化するのを抑制するとともに、このレーザー駆動回路を光ピックアップユニットに組み込んで光ディスク装置を構成した場合でも、光ピックアップユニットや光ディスク装置が大型化するのを抑制することである。
【課題を解決するための手段および発明の効果】
【００１５】
上記目的を達成するために、この発明のレーザー駆動回路は、光ディスクに対して青紫色のレーザー光を照射する青紫レーザーダイオードを駆動する。そして、このレーザー駆動回路は、入力端子、出力端子、及び、入力端子と出力端子との間を流れる電流を制御する制御端子を有する半導体スイッチを含み、半導体スイッチの入力端子と出力端子との間の耐電圧が、赤色のレーザー光を出射する赤色レーザーダイオードの動作電圧以上であって青紫レーザーダイオードの動作電圧に満たず、入力端子及び出力端子の一方が青紫レーザーダイオードの一方の端子に接続され、入力端子及び出力端子の他方が電位の固定された外部端子に接続された赤色レーザードライバと、青紫レーザーダイオードの一方の端子と外部端子との間で半導体スイッチと並列に接続されており、入力端子と出力端子との間に電流が流れていない状態において青紫レーザーダイオードからレーザー光が出射されない範囲の電流を青紫レーザーダイオードに流す抵抗値を有する抵抗とを備えている。
【００１６】
この発明によるレーザー駆動回路では、上記のように、青紫レーザーダイオードの一方の端子と外部端子との間で半導体スイッチと並列に、入力端子と出力端子との間に電流が流れていない状態において青紫レーザーダイオードからレーザー光が出射されない範囲の電流を青紫レーザーダイオードに流す抵抗値を有する抵抗を接続することによって、青紫レーザーダイオードからレーザー光が出射されるのを防止しながら、抵抗および青紫レーザーダイオードに定電流を流すことができる。これにより、入力端子と出力端子との間に電流が流れていない状態でも、青紫レーザーダイオードにおいて、電圧降下が生じるので、半導体スイッチの入力端子と出力端子との間に、青紫レーザーダイオードを発振させるのに必要な動作電圧が加わるのを防止することができる。その結果、入力端子と出力端子との間に電流が流れていない状態において、上記した動作電圧が加わることに起因して、汎用の赤色レーザードライバの半導体スイッチが破壊されるのを防止することができるので、以下の効果を有するレーザー駆動回路を得ることができる。
【００１７】
１．青紫レーザーダイオードを発振させるための専用の青紫色用レーザードライバを用いる必要がないので、レーザー駆動回路を安価に構成することができる。
２．緩衝回路を設けた従来の一例によるレーザー駆動回路と異なり、レーザー駆動回路における消費電力が増大するのを抑制することができるので、レーザー駆動回路の温度が上昇するのを抑制することができる。
３．赤色レーザードライバに１つの抵抗を接続するという簡素な構成であるため、光ディスクの記録品質、再生品質が低下するのを抑制することができる。
４．緩衝回路を設けた従来の一例によるレーザー駆動回路と異なり、赤色レーザードライバと１つの抵抗とにより構成しているため、レーザー駆動回路が大型化するのを抑制することができる。
【００１８】
上記レーザー駆動回路において、好ましくは、赤色レーザードライバは、半導体スイッチの制御端子に接続され、光ディスクに記録された情報を読み出すためのレーザー光を生成するための読み出し電流を供給するための読み出し電流源と、半導体スイッチの制御端子に接続され、光ディスクに任意の情報を書き込むためのレーザー光を生成するための書き込み電流を供給するための書き込み電流源とを含んでいる。このように構成すれば、光ディスクに記録された情報を読み出すレーザー光を出射させるだけでなく、光ディスクに情報を書き込むレーザー光を出射させることが可能なレーザー駆動回路を得ることができる。
【００１９】
上記レーザー駆動回路において、好ましくは、半導体スイッチは、ｐチャネル電界効果トランジスタであり、ｐチャネル電界効果トランジスタのソースは、電位が固定された外部端子に接続されるとともに、ｐチャネル電界効果トランジスタのドレインは、青紫レーザーダイオードのアノードに接続され、青紫レーザーダイオードのカソードは、外部端子より電位が低い外部端子に接続されている。
【００２０】
また、上記レーザー駆動回路において、半導体スイッチは、ｎチャネル電界効果トランジスタであり、ｎチャネル電界効果トランジスタのソースは、電位が固定された外部端子に接続されるとともに、ｎチャネル電界効果トランジスタのドレインは、青紫レーザーダイオードのカソードに接続され、青紫レーザーダイオードのアノードは、外部端子より電位が高い外部端子に接続されている。
【００２１】
この発明の光ディスク装置は、上記したいずれかのレーザー駆動回路と、レーザー駆動回路に駆動されることにより光ディスクに対してレーザー光を出射する青紫レーザーダイオードとを含む光ピックアップユニット、光ディスクを回転させるスピンドルモータ、および、光ピックアップユニットを光ディスクの径方向に移動させるスレッドモータを備えている。このように、上記したいずれかのレーザー駆動回路を、光ディスク装置に適用すれば、上記した効果と同様の効果を有する光ディスク装置を得ることができる。
【発明を実施するための最良の形態】
【００２２】
以下、本発明を具体化した実施形態を図面に基づいて説明する。
【００２３】
（第１実施形態）
図１は、本発明の第１実施形態による光ディスク装置のブロック図である。図２は、第１実施形態による光ディスク装置のレーザー駆動回路の回路図である。図３は、青紫レーザーダイオードの電圧（Ｖｏｐ）および電流（Ｉｏｐ）と、その動作点における電流波形とを示した図である。図１〜図３を参照して、光ディスク装置１の構成について詳細に説明する。
【００２４】
本実施形態による光ディスク装置１は、約３００ｎｍ〜約５００ｎｍの発光波長を有する青紫色のレーザー光を照射することにより、ＤＶＤやＣＤよりも大容量のＢＤやＨＤ−ＤＶＤなどの光ディスク２に情報の記録や再生を行う。
【００２５】
この光ディスク装置１は、図１に示すように、光ピックアップユニット１ａと、光ピックアップユニット１ａを径方向に移動させる駆動源となるスレッドモータ１ｂと、光ディスク２を回転させる駆動源となるスピンドルモータ１ｃと、モータ１ｂ、１ｃおよび光ピックアップユニット１ａの動作を制御するドライバ１ｄと、後述する信号処理回路１ｆが必要とする信号を生成するＲＦ回路１ｅと、ＲＦ回路１ｅにより生成された信号に所定の処理を施し外部へ出力するとともに、外部から入力された信号に所定の処理を施しドライバ１ｄに出力する信号処理回路１ｆとを備えている。
【００２６】
光ピックアップユニット１ａは、光ディスク２に任意の情報を書き込むために、スピンドルモータ１ｃにより回転される光ディスク２にレーザー光を照射するとともに、光ディスク２に書き込まれた情報を読み取るために、レーザー光が照射された光ディスク２からの反射光を取得するために設けられている。この光ピックアップユニット１ａは、光ピックアップ１０と、レーザー駆動回路２０と、ＯＰＩＣ（Optical Integrated Circuit）３０とから構成されている。
【００２７】
光ピックアップ１０は、光ディスク２の記録面に青紫色のレーザー光を出射する青紫ＬＤ（Laser Diode）１１と、青紫ＬＤ１１から出射されたレーザー光をモニタするモニタダイオード１２とを備えている。
【００２８】
青紫ＬＤ１１は、約３００ｎｍ〜約５００ｎｍの発光波長を有するレーザー光を出射することが可能である。また、この青紫ＬＤ１１を発振させるためには、図３に示すように、約５．０Ｖの動作電圧（Ｖｏｐ）が必要である。また、青紫ＬＤ１１は、動作電流Ｉｏｐが０の場合には、動作電圧Ｖｏｐも０であるが、僅かに動作電流Ｉｏｐが流れると、顕著に動作電圧Ｖｏｐが上昇することが分かる。したがって、約１０ｍＡ程度の動作電流Ｉｏｐを流したとしても、動作電圧Ｖｏｐは上昇するが発振しない。
【００２９】
モニタダイオード１２は、上記した青紫ＬＤ１１から出射されるレーザー光のパワーを検知するために設けられており、検知結果を後述するレーザー駆動回路２０のＬＤドライバ２１にフィードバックする機能を有している。これにより、青紫ＬＤ１１から出射されるレーザー光を、安定して光ディスク２に照射することが可能となる。
【００３０】
レーザー駆動回路２０は、図２に示すように、ＬＤドライバ２１と、抵抗２２とから構成されている。
【００３１】
このＬＤドライバ２１は、赤色ＬＤを駆動するための安価な普及品である。ＬＤドライバ２１は、青紫ＬＤ１１を制御することにより、青紫ＬＤ１１から、光ディスク２の記録面に情報を記録するための記録レーザー光や光ディスク２の記録面の情報を読み出すための読み出しレーザー光を出射させるために設けられている。そして、このＬＤドライバ２１は、図２に示すように、光ディスク２に記録された情報を読み出すレーザー光を生成するための読み出し電流を供給するための読み出し電流源２３と、光ディスク２に任意の情報を書き込むレーザー光を生成するための書き込み電流を供給するための書き込み電流源２４と、ｐチャネル電界効果トランジスタ２５とが設けられている。
【００３２】
読み出し電流源２３は、直流電流を供給するための直流電流源２３ａと、所定の周波数の交流電流を供給するための交流電流源２３ｂとから構成されている。そして、読み出し電流源２３は、直流電流源２３ａから供給される直流電流に、交流電流源２３ｂから供給される交流電流を重畳することにより、光ディスク２に記録された情報を読み出すレーザー光を生成するための読み出し電流（図３参照）を生成する。また、直流電流源２３ａおよび交流電流源２３ｂは、ｐチャネル電界効果トランジスタ２５のベース２５ｃに接続されている。
【００３３】
書き込み電流源２４は、信号処理回路１ｆから送信された信号に基づいて、光ディスク２に任意の情報を書き込むレーザー光を生成するためのパルス状の書き込み電流（図３参照）を生成する。また、書き込み電流源２４は、ｐチャネル電界効果トランジスタ２５のベース２５ｃに接続されている。
【００３４】
ｐチャネル電界効果トランジスタ２５は、赤色ＬＤを駆動するためのＬＤドライバ２１に設けられているため、その耐電圧は、赤色ＬＤからレーザー光を出射させる動作電圧（約２．０Ｖ）以上であり、かつ、青紫ＬＤ１１からレーザー光を出射させる動作電圧（約５．０Ｖ）に満たない。このｐチャネル電界効果トランジスタ２５は、ソース２５ａ、ドレイン２５ｂ、および、ソース２５ａとドレイン２５ｂとの間を流れる電流を制御するベース２５ｃを有している。そして、ｐチャネル電界効果トランジスタ２５のソース２５ａは、電位（約＋５Ｖ）が固定された外部端子（＋Ｂ）に接続されており、ドレイン２５ｂは、青紫ＬＤ１１のアノード１１ａに接続されている。なお、青紫ＬＤ１１のカソード１１ｂは、５Ｖの電位の外部端子（＋Ｂ）より低電位（約−３Ｖ）の外部端子（−Ｂ）に接続されている。
【００３５】
ここで、第１実施形態では、図２に示すように、青紫ＬＤ１１のアノード１１ａと電位（約＋５Ｖ）が固定された外部端子（＋Ｂ）との間には、ｐチャネル電界効果トランジスタ２５と並列に抵抗２２が接続されている。この抵抗２２は、ｐチャネル電界効果トランジスタ２５のソース２５ａとドレイン２５ｂとの間に電流が流れていない状態（以下、停止状態とする）において、青紫ＬＤ１１からレーザー光が出射されない範囲の約１０ｍＡの電流を青紫ＬＤ１１に流す約４００Ωの抵抗値を有している。これにより、青紫ＬＤ１１に約１０ｍＡの電流が流れて、図３に示すように、青紫ＬＤ１１の動作電圧Ｖｏｐが約４．０Ｖとなる。したがって、ｐチャネル電界効果トランジスタ２５のドレイン２５ｂの電位は、約１．０Ｖ（＝約−３．０Ｖ＋約４．０Ｖ（Ｖｏｐ））となり、ｐチャネル電界効果トランジスタ２５には、約４．０Ｖ（＝約５．０Ｖ−約１．０Ｖ）の電圧がかかる。その結果、停止状態において、ｐチャネル電界効果トランジスタ２５が破壊されるのを防止することができる。
【００３６】
また、読み出し状態においては、Ｖｏｐ＝４．５Ｖであるため、ｐチャネル電界効果トランジスタ２５のドレイン２５ｂの電位は、約１．５Ｖ（＝約−３．０Ｖ＋約４．５Ｖ（Ｖｏｐ））となり、ｐチャネル電界効果トランジスタ２５には、約３．５Ｖ（＝約５．０Ｖ−約１．５Ｖ）の電圧がかかる。また、書き込み状態においては、Ｖｏｐ＝４．８Ｖであるため、ｐチャネル電界効果トランジスタ２５のドレイン２５ｂの電位は、約１．８Ｖ（＝約−３．０Ｖ＋４．８Ｖ）となり、ｐチャネル電界効果トランジスタ２５には、約３．２Ｖ（＝約５．０Ｖ−約１．８Ｖ）の電圧がかかる。その結果、全てのモード（停止状態、読み出し状態、書き込み状態）において、ｐチャネル電界効果トランジスタ２５が破壊されるのを防止することができる。
【００３７】
ＯＰＩＣ３０は、光ディスク２からの反射光（光信号）を電気信号に変換するために設けられている。そして、このＯＰＩＣ３０により変換された電気信号は、ＲＦ回路１ｅに送信される。
【００３８】
ＲＦ回路１ｅは、ＯＰＩＣ３０から送信された電気信号を増幅するために設けられている。そして、ＲＦ回路１ｅにより増幅された電気信号は、振幅が所定のレベルとなるようにＡＧＣ（Auto Gain Control）処理が施されて、信号処理回路１ｆに送信される。
【００３９】
信号処理回路１ｆは、光ディスク２の再生時に、ＲＦ回路１ｅから送信された電気信号（アナログ信号）をデジタル信号に変換するとともに、複合化処理を行って、外部に出力する機能を有している。また、光ディスク２への記録時には、信号処理回路１ｆは、外部から入力されたデジタル信号をアナログ信号に変換するとともに、暗号化処理を行って、ＬＤドライバ２１に出力する機能を有している。
【００４０】
第１実施形態では、上記のように、青紫ＬＤ１１のアノード１１ａと、電位（約＋５Ｖ）が固定された外部端子（＋Ｂ）との間でｐチャネル電界効果トランジスタ２５と並列に、停止状態において青紫ＬＤ１１からレーザー光が出射されない範囲の電流（約１０ｍＡ）を青紫ＬＤ１１に流す抵抗値（約４００Ω）を有する抵抗２２を接続することによって、青紫ＬＤ１１からレーザー光が出射されるのを防止しながら、青紫ＬＤ１１に定電流を流すことができる。これにより、停止状態でも、青紫ＬＤ１１において、電圧降下が生じるので、ｐチャネル電界効果トランジスタ２５のソース２５ａとドレイン２５ｂとの間に、ｐチャネル電界効果トランジスタ２５に青紫ＬＤ１１を発振させる動作電圧（約８．０Ｖ）が加わるのを防止することができる。その結果、停止状態において、上記した動作電圧が加わることに起因して、汎用のＬＤドライバ２１のｐチャネル電界効果トランジスタ２５が破壊されるのを防止することができるので、以下の効果を有する光ディスク装置１を得ることができる。
【００４１】
１．青紫ＬＤ１１を発振させるための専用の青紫色用レーザードライバを用いる必要がないので、光ディスク装置１を安価に構成することができる。
２．緩衝回路２２１を設けた従来の一例によるレーザー駆動回路（図５参照）と異なり、レーザー駆動回路２０における消費電力が増大するのを抑制することができるので、レーザー駆動回路２０および光ディスク装置１の温度が上昇するのを抑制することができる。
３．ＬＤドライバ２１に１つの抵抗２２を接続するという簡素な構成であるため、光ディスク２の記録品質、再生品質が低下するのを抑制することができる。
４．緩衝回路２２１を設けた従来の一例によるレーザー駆動回路（図５参照）と異なり、ＬＤドライバ２１と抵抗２２とによりレーザー駆動回路２０を構成しているため、レーザー駆動回路２０および光ディスク装置１が大型化するのを抑制することができる。
【００４２】
（第２実施形態）
この第２実施形態では、上記した第１実施形態と異なり、レーザー駆動回路にｎチャネル電界効果トランジスタを設ける例について説明する。なお、第２実施形態では、ｐチャネル電界効果トランジスタをｎチャネル電界効果トランジスタに変更したレーザー駆動回路１２０を用いたこと以外、第１実施形態と同様の構成であるので、その説明を省略する。図４は、第２実施形態による光ディスク装置のレーザー駆動回路の回路図である。
【００４３】
レーザー駆動回路１２０は、図４に示すように、ＬＤドライバ１２１と、抵抗１２２とから構成されている。そして、ＬＤドライバ１２１には、光ディスク２に記録された情報を読み出すレーザー光を生成するための読み出し電流を供給するための読み出し電流源２３と、光ディスク２に任意の情報を書き込むレーザー光を生成するための書き込み電流を供給するための書き込み電流源２４と、ｎチャネル電界効果トランジスタ１２５とが設けられている。
【００４４】
ｎチャネル電界効果トランジスタ１２５は、赤色ＬＤを駆動するためのＬＤドライバ１２１に設けられているため、その耐電圧は、赤色ＬＤからレーザー光を出射させる動作電圧（約２．０Ｖ）以上であり、かつ、青紫ＬＤ１１からレーザー光を出射させる動作電圧（約５．０Ｖ）に満たない。このｎチャネル電界効果トランジスタ１２５は、ソース１２５ａ、ドレイン１２５ｂ、および、ソース１２５ａとドレイン１２５ｂとの間を流れる電流を制御するベース１２５ｃを有している。そして、ｎチャネル電界効果トランジスタ１２５のソース１２５ａは、電位が固定された外部端子（ＧＮＤ）に接地されており、ドレイン１２５ｂは、青紫ＬＤ１１のカソード１１ｂに接続されている。なお、青紫ＬＤ１１のアノード１１ａは、０Ｖの電位の外部端子（ＧＮＤ）より高電位（約８．０Ｖ）の外部端子（＋Ｂ）に接続されている。
【００４５】
ここで、第２実施形態では、青紫ＬＤ１１のカソード１１ｂと電位（０Ｖ）が固定された外部端子（ＧＮＤ）との間には、ｎチャネル電界効果トランジスタ１２５と並列に抵抗１２２が接続されている。この抵抗１２２は、ｎチャネル電界効果トランジスタ１２５のソース１２５ａとドレイン１２５ｂとの間に電流が流れていない状態（停止状態）において、青紫ＬＤ１１からレーザー光が出射されない範囲の約１０ｍＡの電流を青紫ＬＤ１１に流す約４００Ωの抵抗値を有している。これにより、青紫ＬＤ１１に約１０ｍＡの電流が流れて、図３に示すように、青紫ＬＤ１１の動作電圧Ｖｏｐが約４．０Ｖとなる。したがって、ｎチャネル電界効果トランジスタ１２５のソース１２５ａの電位は、約４．０Ｖ（＝約８．０Ｖ−約４．０Ｖ（Ｖｏｐ））となり、ｎチャネル電界効果トランジスタ１２５には、約４．０Ｖの電圧がかかる。その結果、停止状態において、ｎチャネル電界効果トランジスタ１２５が破壊されるのを防止することができる。
【００４６】
また、読み出し状態においては、Ｖｏｐ＝４．５Ｖであるため、ｎチャネル電界効果トランジスタ１２５のソース１２５ａの電位は、約３．５Ｖ（＝約８．０Ｖ−約４．５Ｖ（Ｖｏｐ））となり、ｎチャネル電界効果トランジスタ１２５には、約３．５Ｖの電圧がかかる。また、書き込み状態においては、Ｖｏｐ＝４．８Ｖであるため、ｎチャネル電界効果トランジスタ１２５のソース１２５ａの電位は、約３．２Ｖ（＝約８．０Ｖ−４．８Ｖ）となり、ｎチャネル電界効果トランジスタ１２５には、約３．２Ｖの電圧がかかる。その結果、全てのモード（停止状態、読み出し状態、書き込み状態）において、ｎチャネル電界効果トランジスタ１２５が破壊されるのを防止することができる。
【００４７】
第２実施形態でも、上記のように、青紫ＬＤ１１のカソード１１ｂと電位が固定された外部端子（ＧＮＤ）との間にｎチャネル電界効果トランジスタ１２５と並列に、停止状態において青紫ＬＤ１１からレーザー光が出射されない範囲の電流（約１０ｍＡ）を青紫ＬＤ１１に流す抵抗値（約４００Ω）を有する抵抗１２２を接続することによって、上記した第１実施形態と同様の効果を得ることができる。
【００４８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４９】
一例として、ｐチャネル電界効果トランジスタまたはｎチャネル電界効果トランジスタを含むレーザー駆動回路を用いる例について説明したが、本発明はこれに限らず、ＭＯＳＦＥＴの代わりにバイポーラトランジスタを用いてもよい。
【図面の簡単な説明】
【００５０】
【図１】本発明の第１実施形態による光ディスク装置のブロック図である。
【図２】第１実施形態による光ディスク装置のレーザー駆動回路の回路図である。
【図３】青紫レーザーダイオードの電圧（Ｖｏｐ）および電流（Ｉｏｐ）と、その動作点における電流波形とを示した図である。
【図４】第２実施形態による光ディスク装置のレーザー駆動回路の回路図である。
【図５】赤色レーザーダイオードの電圧（Ｖｏｐ）および電流（Ｉｏｐ）の特性を示した図である。
【図６】青紫レーザーダイオードの電圧（Ｖｏｐ）および電流（Ｉｏｐ）の特性を示した図である。
【図７】赤色ＬＤドライバの各動作状態における電圧を示した図である。
【図８】青紫ＬＤドライバの各動作状態における電圧を示した図である。
【図９】従来の一例による緩衝回路が設けられたレーザー駆動回路の回路図である。
【図１０】従来の一例によるレーザー駆動回路のトランジスタで消費される電力を示した表である。
【図１１】青紫レーザーダイオードを駆動するのに要求される電流波形を示した図である。
【符号の説明】
【００５１】
１  光ディスク装装置
１ａ  光ピックアップユニット
１ｂ  スレッドモータ
１ｃ  スピンドルモータ
１１  青紫ＬＤ
２０  レーザー駆動回路
２１、１２１  ＬＤドライバ（赤色レーザードライバ）
２２、１２２  抵抗
２３  読み出し電流源
２４  書き込み電流源
２５  ｐチャネル電界効果トランジスタ（半導体スイッチ）
１２５  ｎチャネル電界効果トランジスタ（半導体スイッチ）
２５ａ、１２５ａ  ソース（入力端子）
２５ｂ、１２５ｂ  ドレイン（出力端子）
２５ｃ、１２５ｃ  ベース（制御端子）
【図１】
2008028256.tif 000003
【図２】
2008028256.tif 000004
【図３】
2008028256.tif 000005
【図４】
2008028256.tif 000006
【図５】
2008028256.tif 000007
【図６】
2008028256.tif 000008
【図７】
2008028256.tif 000009
【図８】
2008028256.tif 000010
【図９】
2008028256.tif 000011
【図１０】
2008028256.tif 000012
【図１１】
2008028256.tif 000013